(57)【特許請求の範囲】
【請求項１】
記録媒体から再生されたディジタルビデオ信号または受信されたディジタルビデオ信号からアナログ出力用のアナログビデオ信号を復号し、上記アナログビデオ信号に対して記録制限用の信号を付加して出力するビデオ信号処理装置であって、
上記再生されたディジタルビデオ信号または受信されたディジタルビデオ信号に付随する記録制限を行うか否かを指示する制御信号を分離する手段と、
分離された上記制御信号に応答して記録制限を行う場合には、アナログビデオ信号に対して記録制限用信号を付加する信号付加手段とを備え、
上記記録制限用信号は、カラーバースト信号の前側および後側の少なくとも一方の一部の区間に付加された信号で、且つ上記カラーバースト信号の本来の位相と異なる位相を有する信号であることを特徴とするビデオ信号処理装置。
【請求項２】
請求項１に記載の装置において、
出力するビデオ信号に付随するコピー世代制限情報がコピー禁止状態を示すときに、上記記録制限用信号をアナログビデオ信号に対して付加することを特徴とするビデオ信号処理装置。
【請求項３】
請求項１に記載の装置において、
上記記録制限用信号は、所定数のライン毎に数ライン分のカラーバースト信号の位相が反転された信号であることを特徴とするビデオ信号処理装置。
【請求項４】
記録媒体から再生されたディジタルビデオ信号または受信されたディジタルビデオ信号からアナログ出力用のアナログビデオ信号を復号し、上記アナログビデオ信号に対して記録制限用の信号を付加して出力するビデオ信号処理方法であって、
上記再生されたディジタルビデオ信号または受信されたディジタルビデオ信号に付随する記録制限を行うか否かを指示する制御信号を分離するステップと、
分離された上記制御信号に応答して記録制限を行う場合には、アナログビデオ信号に対して記録制限用信号を付加する信号付加ステップとからなり、
上記記録制限用信号は、カラーバースト信号の前側および後側の少なくとも一方の一部の区間に付加された信号で、且つ上記カラーバースト信号の本来の位相と異なる位相を有する信号であることを特徴とするビデオ信号処理方法。
【請求項５】
請求項４に記載の方法において、
出力するビデオ信号に付随するコピー世代制限情報がコピー禁止状態を示すときに、上記記録制限用信号をアナログビデオ信号に対して付加することを特徴とするビデオ信号処理方法。
【請求項６】
請求項４に記載の方法において、
上記記録制限用信号は、所定数のライン毎に数ライン分のカラーバースト信号の位相が反転された信号であることを特徴とするビデオ信号処理方法。
【発明の詳細な説明】
【０００１】
【発明の属する技術分野】
この発明は、ビデオディスク、ディジタルＶＣＲ、ディジタル放送の受信装置等からのアナログビデオ信号を記録するビデオテープレコーダおよびその再生出力を表示するテレビジョン受像機に対して適用されるビデオ信号処理装置およびビデオ信号処理方法に関する。
【０００２】
【従来の技術】
ディジタル技術の発達に伴い、家庭においても高画質のビデオ信号源を容易に入手できるようになりつつある。例えばプリレコーディッドテープ（ソフトテープ）のみならず、ディジタル放送の端末、ＤＶＤ（ディジタルビデオディスク）等は、高画質のビデオ信号をユーザに提供する。ディジタルＶＣＲ（ビデオカセットテープレコーダ）も家庭用として除々に浸透しつつあるが、現状では、アナログＶＣＲが格段に普及している。上述したような高画質のビデオ信号の提供者としては、著作権保護の立場から、アナログＶＣＲによるコピーの制限に対して多大な関心を払わざるを得ない。
【０００３】
既に、アナログＶＣＲでは、幾つかのコピー制限の方法が考えられている。例えば、マクロビジョン社によるＡＧＣパルス方式やカラーストライプ方式が知られている。ＡＧＣパルス方式は、ビデオ信号におけるＡＧＣ基準レベル検出区間に、通常のＡＧＣ基準レベルより大きなレベルのパルスを挿入し制限を行うものである。すなわち、ビデオ信号のＶ（垂直）ブランキング期間の一部に疑似ＳＹＮＣパルスが挿入される。アナログ式のビデオテープレコーダ（家庭用アナログＶＣＲ）では、水平同期パルスおよびペデスタルレベル（バックポーチ）を利用してＡＧＣをかけるようにされた機種が多数存在する。そのため、このように、バックポーチに相当する部分が通常の水平同期パルスよりも振幅の大きい疑似ＳＹＮＣパルスが挿入されていると、ＡＧＣ回路がこの疑似ＳＹＮＣパルスの振幅を基準レベルと判断してＡＧＣがかけられる。その結果、ＡＧＣレベルがこの疑似ＳＹＮＣパルスのレベルとして検出されるためＳＹＮＣを検出できず、正常な再生が行えなくなる。一方、テレビジョンモニタは、ＡＧＣ方式が異なるので、正常に再生画像を表示することができる。
【０００４】
【発明が解決しようとする課題】
ところが、このＡＧＣパルス方式では、ＶＨＳ方式の一部のビデオテープレコーダにしか効果が無いという問題点があった。例えば、β方式のＶＣＲや８ｍｍＶＣＲ、およびＶＨＳ方式でも、ＡＧＣ時定数が長いものなどには効果がなかった。
【０００５】
そこで、他のコピー制限の方法として、以下に説明するカラーストライプ方式が提案されている。このカラーストライプ方式とは、再生ビデオ信号に対して、例えば２０ライン毎に２〜４ライン分、バースト信号の位相を反転させる方法である。このようにバースト信号の位相を反転させられた再生ビデオ信号を別の家庭用アナログＶＣＲで録画すると、アナログＶＣＲのＡＰＣ（自動位相制御回路）がこの位相の反転したバースト信号を本来のバースト信号として使用してしまうため、そのラインの色が反転され再生されてしまう。したがって、この録画されたビデオ信号を再生すると、色の反転した帯が画面に映出される。
【０００６】
一方、一般的なテレビジョン受像機においては、色信号復調のための搬送波を形成するＰＬＬ（ＡＰＣ）の時定数が長いため、高々２〜４ラインにおいて連続してバースト信号が反転されても影響が出ない。しかしながら、機種によっては時定数の短いＰＬＬを用いている場合もあり、この場合には、色の反転した帯が画面に生じるという問題点があった。
【０００７】
従って、この発明の目的は、確実にコピー制限を行うと共に、再生画像に対する画質劣化のおそれが少ないビデオ信号処理装置およびビデオ信号処理方法を提供することにある。
【０００８】
【課題を解決するための手段】
この発明は、上述した課題を解決するために、記録媒体から再生されたディジタルビデオ信号または受信されたディジタルビデオ信号からアナログ出力用のアナログビデオ信号を復号し、アナログビデオ信号に対して記録制限用の信号を付加して出力するビデオ信号処理装置であって、
再生されたディジタルビデオ信号または受信されたディジタルビデオ信号に付随する記録制限を行うか否かを指示する制御信号を分離する手段と、
分離された制御信号に応答して記録制限を行う場合には、アナログビデオ信号に対して記録制限用信号を付加する信号付加手段とを備え、
記録制限用信号は、カラーバースト信号の前側および後側の少なくとも一方の一部の区間に付加された信号で、且つカラーバースト信号の本来の位相と異なる位相を有する信号であることを特徴とするビデオ信号処理装置である。
【０００９】
また、この発明は、記録媒体から再生されたディジタルビデオ信号または受信されたディジタルビデオ信号からアナログ出力用のアナログビデオ信号を復号し、アナログビデオ信号に対して記録制限用の信号を付加して出力するビデオ信号処理方法であって、
再生されたディジタルビデオ信号または受信されたディジタルビデオ信号に付随する記録制限を行うか否かを指示する制御信号を分離するステップと、
分離された制御信号に応答して記録制限を行う場合には、アナログビデオ信号に対して記録制限用信号を付加する信号付加ステップとからなり、
記録制限用信号は、カラーバースト信号の前側および後側の少なくとも一方の一部の区間に付加された信号で、且つカラーバースト信号の本来の位相と異なる位相を有する信号であることを特徴とするビデオ信号処理方法である。
【００１２】
この発明では、ビデオ信号のカラーバースト信号の前側および後側の少なくとも一方の一部の区間にカラーバースト信号の本来の位相と異なる位相を有する信号を記録制限信号としてアナログビデオ信号に対して付加する。この記録制限信号が付加されたアナログビデオ信号をそのままテレビジョン受像機で再生した媒体には問題がないが、アナログ方式でビデオ信号の記録の際に行われる低域変換によって記録制限信号が拡張されるので、このように記録された信号を再生する時に画像障害が生じ、それによって記録制限を行うことができる。
【００１３】
【発明の実施の形態】
以下、この発明の一実施例について説明する。この発明の理解を容易とするために、コピー制限の適用例について図１を参照して説明する。図１は、ディジタルＶＣＲ２で再生されたアナログビデオ信号をアナログＶＣＲ１により録画する例である。ディジタルＶＣＲ２により再生されるカセットテープが例えばプリレコーディッドテープであって、テープ中に記録されているコピー世代の制限に関する制御情報（ＣＧＭＳ(Copy Generation Management System) と称する）がコピー禁止を指示する場合では、アナログＶＣＲ１による録画を禁止する必要がある。
【００１４】
図１Ｂは、ＤＶＤプレーヤ３からの再生アナログビデオ信号をアナログＶＣＲ１により録画する例である。この場合でも、ＤＶＤに記録されているＣＧＭＳによりコピー禁止が指示される場合では、アナログＶＣＲ１による録画が禁止される必要がある。さらに、図１Ｃは、ディジタル放送を受信するためのＩＲＤ(Integrated Receiver Decoder) （あるいはセットトップボックス）４により受信したプログラムをディジタルＶＣＲ５により録画し、この記録した内容をアナログＶＣＲ１により録画する例である。一般的に、ディジタル放送のプログラムをディジタル信号あるいはアナログ信号としてディジタルＶＣＲ５が１回は記録することが許容されることが多い。しかしながら、その記録した内容をアナログＶＣＲ１によりコピーすることが制限される。勿論、ＩＲＤ４からアナログＶＣＲ１へのビデオ信号のコピーを禁止する場合もある。
【００１５】
この発明は、図１に例示したような場合に、アナログＶＣＲ１によるコピーを禁止し、且つディジタルＶＣＲ２、ＤＶＤプレーヤ３、ディジタルＶＣＲ５からのアナログビデオ信号をモニタ装置により支障なく表示することを可能とするものである。図１Ｂの例のように、ＤＶＤプレーヤ３により再生されたアナログビデオ信号を出力する場合に対して適用したこの発明の一実施例を図２に示す。
【００１６】
ＭＰＥＧ等により圧縮符号化されたディジタル信号がＤＶＤ６から光ピックアップ７により読み取られる。光ピックアップ７の再生信号がプリアンプ、波形整形、復号回路８を介してエラー処理回路９に供給される。エラー処理回路９では、エラー訂正符号の復号がなされ、エラーが訂正される。エラー処理回路９の出力がディマルチプレクサ１０に供給される。ディマルチプレクサ１０は、再生信号からビデオデータ、オーディオデータ、制御用のディジタルデータをそれぞれ分離する。
【００１７】
ビデオデータは、ビデオデコーダ１１に供給される。ビデオデコーダ１１は、圧縮符号化のデコード、アナログビデオ信号への変換等の処理を行い、アナログビデオ信号を出力部１４に供給する。この出力部１４は、この発明が適用されたもので、その詳細については、後述する。出力端子１６には、出力部１４からコピー防止用信号が選択的に付加されたアナログビデオ信号が出力される。オーディオデータは、オーディオデコーダ１２において、圧縮符号化のデコード、アナログオーディオ信号への変換等の処理を受け、出力端子１７にアナログオーディオ信号が得られる。ディジタルデータデコーダ１３は、ＤＶＤ６に記録されている制御用ディジタルデータを分離し、復号する。その復号出力がマイクロコンピュータ１５に供給される。制御用ディジタルデータの中にＣＧＭＳが含まれている。
【００１８】
マイクロコンピュータ１５は、ＤＶＤ６に予め記録されているＣＧＭＳと、ユーザが外部から入力した指示に従って、コピー防止のための信号の付加、並びに付加される信号の種類を指示するコントロール信号を発生する。このコントロール信号が出力部１４に与えられる。この出力部１４は、ＤＶＤプレーヤ内部に設けられる。
【００１９】
出力部１４の一例の構成を図３に示す。ビデオデコーダ１１からの再生ビデオ信号は、例えばアナログコンポーネント信号として出力部１４に供給される。２１、２２、２３でそれぞれ示す入力端子に対して、輝度信号Ｙ、色差信号Ｒ−Ｙ、Ｂ−Ｙがそれぞれ供給される。輝度信号Ｙが加算器２４および２５を経て出力端子１６Ｙに取り出される。色差信号がカラーエンコーダ２６に供給され、カラーエンコーダ２６により直交２相変調された搬送色信号が形成される。この搬送色信号が加算器２７を介して出力端子１６Ｃに取り出される。
【００２０】
加算器２４では、同期信号発生器２８により生成された通常の複合同期信号が輝度信号Ｙに対して付加される。加算器２５では、ＡＧＣパルス発生器２９からのＡＧＣパルスが供給され、このＡＧＣパルスが輝度信号Ｙに対して付加される。ＡＧＣパルスとして、正規のレベルのものと、コピー禁止のための大レベルのものとの一方をＡＧＣパルス発生器２９が発生する。その選択は、マイクロコンピュータ１５からのコントロール信号によりなされる。
【００２１】
加算器２７では、カラーバースト信号が付加される。コピーが許可される場合では、信号発生器３１で生成された通常のカラーバースト信号ＳＢ１が付加される。コピーを禁止する場合では、信号発生器３２で生成された第１のコピー防止用信号信号ＳＢ２、または信号発生器３３で生成された第２のコピー防止用信号信号ＳＢ３が付加される。これらの信号の選択のために、マイクロコンピュータ１５により制御されるスイッチャ３５と、ユーザ選択で制御されるスイッチャ３６とが設けられている。
【００２２】
スイッチャ３６は、その入力端子ｃおよびｄにそれぞれ供給される、コピー防止用信号信号ＳＢ２およびＳＢ３の一方をユーザ選択に従って選択的にスイッチャ３５の入力端子ｂに対して供給する。スイッチャ３５は、信号発生器３１からのカラーバースト信号ＳＢ１がその一方の入力端子ａに供給され、スイッチャ３６の出力信号がその他方の入力端子ｂに供給されるものである。ユーザの選択に従ってスイッチャ３５が選択した信号が加算器２７に供給される。
【００２３】
スイッチャ３５は、ＤＶＤ６から再生されるビデオ信号とそれに付随するＣＧＭＳをデコードした結果に基づいて、マイクロコンピュータ１５が発生するコントロール信号により制御される。すなわち、アナログコピーの禁止をＣＧＭＳが指示する場合には、スイッチャ３５が入力端子ｂを選択し、コピー防止用信号信号ＳＢ２またはＳＢ３を加算器２７に与える。また、ユーザは、ＤＶＤプレーヤにより再生されたアナログビデオ信号をテレビジョンモニタに供給した時に、表示画像の画質の優劣を見て、コピー防止用信号信号ＳＢ２およびＳＢ３の何れを付加するかをキー入力、ボタン入力等のユーザインターフェースを介して指示する。その指示に基づいてスイッチャ３６が制御される。従って、出力端子１６Ｙ、１６Ｃに取り出されたビデオ信号をアナログＶＣＲによって録画する場合に、録画を禁止することができ、然も、このビデオ信号をテレビジョンモニタに供給する場合では、良質な再生画像を見ることが可能となる。
【００２４】
ＤＶＤ６に記録されるディジタルビデオ信号と付随して、予め記録されているＣＧＭＳの一例を図４Ａに示す。この図４Ａに示すように、ＣＧＭＳは、下記のように定義される。
００：コピー可能
０１：未使用
１０：コピー１世代可能
１１：コピー不可
【００２５】
このＣＧＭＳにおけるコピーがディジタルコピー制限のみを規定する場合では、アナログコピーの可否を示すフラグ、すなわち、アナログコピー制限信号発生を指示するトリガービットを別に規定しても良い。図４Ｂは、その一例であって、トリガービットが‘0' であれば、アナログコピー制限信号を発生しないことが指示され、このビットが‘1' であれば、アナログコピー制限信号を発生することが指示される。この場合では、ＣＧＭＳおよびトリガービットの合計３ビットによって、アナログコピーの制限情報が構成される。しかしながら、ＣＧＭＳによってアナログおよびディジタルの両者を規定するようにしたり、ＣＧＭＳの未使用の２ビット（０１）を使用して、２ビットでもって、アナログＶＣＲによるコピーの制限情報を構成しても良い。
【００２６】
このようなコピー制限情報を記録媒体に実際に記録する形態としては、種々のものが可能である。ディジタルＶＣＲの場合では、図５および図６に示すデータ構成が採用されている。図５は、ＶＡＵＸ（ビデオ補助データ）の構成を示し、（０１１００００１）（６１ｈ）（ｈは１６進表示を表す）のパックヘッダを持つパックである。
【００２７】
このパックには、ＰＣ１の上位２ビットとして、ＣＧＭＳが記録される。このＣＧＭＳの定義は、例えば図４Ａに示すものと同一である。また、ＰＣ１中のコピーソースが下記のように規定される。
００：アナログ入力によるコピー
０１：ディジタル入力によるコピー
１０：予備
１１：情報なし
【００２８】
ＰＣ１中のコピー世代の定義を下記に示す。
００：第１世代
０１：第２世代
１０：第３世代
１１：第４世代
【００２９】
図６は、ディジタルＶＣＲにおけるオーディオ信号に関する補助データ（ＡＡＵＸデータ）の一例を示す。このパックのヘッダは、（０１０１０００１）（５１ｈ）である。このパックＰＣ１には、ＶＡＵＸと同様の構成で、コピー世代制限に関する情報が記録される。なお、入力ビデオ信号に付随するＣＧＭＳが１世代コピー可能とされている場合に、この入力ビデオ信号を記録した場合には、テープ上のＣＧＭＳがコピー禁止へ書き換えられる。
【００３０】
この発明の一実施例におけるＤＶＤの場合は、図示しないが、記録データがセクタ等の区切りを有し、この区切りの先頭に同期信号およびヘッダが付加される。このヘッダ中にコピー制限のための情報を記録するようになされる。
【００３１】
次に、この発明の一実施例において、コピー制限のために付加される信号について説明する。信号発生器３２が発生するコピー禁止用の信号である、第１のコピー防止用信号について最初に説明する。
【００３２】
アナログ方式の家庭用ＶＣＲにおいては、３．５８ＭＨｚの周波数（ＮＴＳＣ方式の場合）を有する色副搬送波が低域変換され６００〜７００ＫＨｚの中の所定の中心周波数を有する低域変換色信号とされる。そして、この低域変換色信号と輝度信号とが周波数多重され磁気テープ上に記録される。このように、家庭用アナログＶＣＲにおいて色信号は、テレビジョン受像機などに比べ非常に狭く帯域制限され、磁気テープ上に記録される。
【００３３】
そのため、記録されたビデオ信号に含まれるカラーバースト信号は、再生されると、帯域制限のために、記録前の原信号に比較して時間軸上でその前後に拡張される性質を有する。図７は、原信号とＶＣＲによる再生後の信号におけるカラーバースト信号ＳＢ１を示す。図７Ａに示す、水平同期信号ｈの後に配されるカラーバースト信号の原信号ＳＢ１が磁気テープに記録され再生されると、図７Ｂに示すように、時間軸上においてカラーバースト信号が前後に拡張される。
【００３４】
コピー禁止用の第１のコピー防止用信号信号ＳＢ２は、この性質を利用して、コピー防止用信号付加方式によるコピー防止を図るための信号である。図８を参照して、第１のコピー防止用信号信号ＳＢ２の一例を説明する。図８Ａは、通常のカラーバースト信号ＳＢ１を示す。これに対して、図８Ｂは、通常のカラーバースト信号ａの後ろ側に位相反転した疑似バースト信号ｂ（斜線で示す）を挿入した例である。また、図８Ｃは、原信号ａの前側に疑似バースト信号ｂを挿入したコピー防止用信号ＳＢ２の例である。さらに図８Ｄは、原信号ａの前後に疑似バースト信号ｂ、ｃを挿入したコピー防止用信号ＳＢ２の例を示す。この疑似バースト信号ｂ，ｃは、９波あるカラーバースト信号に対して、例えば原信号ａの前後に挿入する場合、前後それぞれ２波ずつ挿入される。
【００３５】
このように疑似バースト信号ｂ、ｃを含むコピー防止用信号ＳＢ２が加算器２７により付加されたビデオ信号を記録し再生すると、上述した時間軸上における前後への拡張の性質に従い、カラーバースト信号の原信号ａの前後に付加された疑似バースト信号ｂ，ｃの幅が増加する。この様子を図９に示す。すなわち、図９Ａに示す疑似バースト信号ｂ、ｃを挿入された状態のコピー防止用信号ＳＢ２において、疑似バースト信号ｂ、ｃは、磁気テープに対する記録／再生を経て、図９Ｂにおいて、ＳＢ２´で示すように、幅が前後に拡張される。
【００３６】
この幅が増加したコピー防止用信号ＳＢ２´を含むビデオ信号は、例えばＶＣＲで再生された場合、ＶＣＲの色同期回路においてＰＬＬが追従できなくなり、画像の劣化を引き起こし、これによりコピーを防止することができる。勿論、このビデオ信号を別のＶＣＲにより記録／再生した場合にも正常な画像が得られないことは、いうまでもない。
【００３７】
一方、図９Ａに示される、カラーバースト信号の前後に疑似バースト信号ｂ、ｃを挿入したコピー防止用信号ＳＢ２を含むビデオ信号は、テレビジョンモニタにおいては略正規のカラーバースト信号として検出され使用される。そのため、この場合には、画像の劣化が生じない。しかしながら、テレビジョンモニタのＡＰＣの特性によっては、画質の劣化が生じる場合がある。そのため、ユーザは、スイッチャ３６を切り替えるコントロール信号を発生し、第２のコピー防止用信号ＳＢ３を付加するように切り替える。このように、画質の劣化がより少ないようなコピー防止用信号を選択することによって、テレビジョンモニタにより画像を見る場合の障害を回避することができる。
【００３８】
図１０は、上述したコピー防止用信号ＳＢ２を信号発生器３２において生成する場合の処理の例を説明するものである。図１０Ａは、通常のカラーバースト信号ＳＢ１を示す。図１０Ｂは、通常のカラーバースト信号ａの後側に疑似バースト信号ｂを有するコピー防止用信号ＳＢ２を生成する例を示す。タイミングコントローラ３３からのタイミング信号に基づいて、位相制御パルスを生成し、この位相制御パルスの区間で、位相が反転した疑似バースト信号ｂを生じさせる。
【００３９】
図１０Ｃは、通常のカラーバースト信号ａの前後に疑似バースト信号ｂ、ｃをを有するコピー防止用信号ＳＢ２を生成する例を示す。この例でも、疑似バースト信号ｂ、ｃと対応した位相制御パルスが使用される。さらに、図１０Ｄに示されるように、タイミングコントロールパルスに基づいて、位相制御パルスおよびゲイン制御パルスの両方を生成することにより、位相と共にゲインも制御された疑似バースト信号ｂを含むコピー防止用信号ＳＢ２を生成しても良い。
【００４０】
なお、上述したコピー防止用信号ＳＢ２について詳細に説明したが、他方のコピー防止用信号ＳＢ３としては、従来のカラーストライプ方式と称されるものと同様のものが使用される。すなわち、再生ビデオ信号に対して、例えば２０ライン毎に２〜４ライン分のカラーバースト信号全体の位相を反転させることによって、第２のコピー防止用信号ＳＢ３が生成される。このようにバースト信号の位相を反転させられたビデオ信号をアナログＶＣＲで録画すると、アナログＶＣＲのＡＰＣ（自動位相制御回路）がこの位相の反転したバースト信号を本来のバースト信号として使用してしまうため、そのラインの色が反転され録画されてしまう。したがって、この録画されたビデオ信号を再生すると、図１１に示すように、色の反転した帯が画面に映出される。その結果、コピーを制限することができる。
【００４１】
一方、テレビジョンモニタにおいては、色信号復調のための搬送波を形成するＰＬＬの時定数が長いため、高々２〜４ラインにおいて連続してバースト信号が反転されても影響が出ず、正常な再生画像を見ることができる。但し、画質の劣化が生じるテレビジョンモニタもあり、その場合には、ユーザが第１のコピー防止用信号ＳＢ２を選択しそれによって画質の劣化を回避することができる。
【００４２】
次に、さらに、第１のコピー防止用信号ＳＢ２をアナログビデオ信号に対して付加する場合の態様としては、コピー防止機能を有効的に発揮させるために、いくつかの方法がある。それらについて説明する。図１２は、第１の方法を示し、この例では、図１２Ａに示されるように、カラーバースト信号ａの前後に疑似バースト信号ｂ、ｃを有するコピー防止用信号ＳＢ２が示されており、疑似バースト信号ｂ、ｃの挿入位置が工夫されている。なお、以下に示す図１２Ｂにおいて、横方向はラスタ走査の水平方向を示し、縦方向はラスタ走査の垂直方向を示す。また、斜線部は、垂直ブランキング期間内で、疑似バースト信号が存在する位置を示す。この表現は、他の類似する図に共通である。
【００４３】
まず、図１２Ｂのｄ部に示すように、数ライン〜数十ラインの連続したブロックにわたって疑似バースト信号ｃおよびｂを挿入し、これを例えば１００ライン毎に繰り返す。次に、ｄ部の前後の数ライン〜数百ラインに、図１２Ｂのｄ部で挿入したよりも短い幅で疑似バースト信号ｂの一部をさらに挿入する（図１２Ｂのｅ部）。このようにコピー防止用信号ＳＢ２を付加することによって、コピーした場合に効果的に画像の劣化を起こすことができる。さらに、テレビジョンモニタの特性によっては、このコピー防止用信号ＳＢ２によって画質障害を引き起こすおそれがある。これは、図１２Ｂのｆ部に示すように、コピー防止用信号ＳＢ２が挿入されない部分を設けることによって軽減できる。このｆ部は、垂直同期信号付近に設定するのが好ましい。
【００４４】
ここで、コピーガードによる画像の劣化を増すために、図１２Ｂのｄ部のブロック数（ライン数）を多くすると、テレビジョンモニタにおいてもカラーバースト信号に対するＰＬＬが追従できずに不安定な状態になるおそれある。そのため、図１３Ａ，図１３Ｂに示すように、疑似バースト信号ｂおよびｃが付加されるブロックを例えばフィールドおき、あるいはフレームおきに、配置することによって、画像が劣化する実効的な面積を増加させるようにしても良い。この分割方法としては、さらに数フレームにわたって行うことも可能である。
【００４５】
図１４は、疑似バースト信号の付加の態様の他の例を示す。家庭用アナログＶＣＲにおいては、仕様によってはバースト信号を検出するためのバーストゲートの位置および幅が異なる場合がある。コピー防止用信号ＳＢ２は、バースト信号期間の一部にしか疑似バースト信号が挿入されていないため、バーストゲートの位置および幅が異なるとコピーガードの効果が出ないおそれがある。そのため、図１４に示す例においては、ｉ部、ｊ部、ｋ部、ｌ部に示すように、時間と共に疑似バースト信号を挿入する位置および幅を変化させる。このようにすると、バーストゲートの位置および幅が異なっていても、コピー防止用信号の影響が出るようにできる。
【００４６】
図１５は、疑似バースト信号の付加の態様の他の例を示す。テレビジョンモニタの仕様によっては、ｅ部のように、疑似バースト信号を挿入した場合に、これが挿入されたブロックと挿入されていないラインとの境界においてフリッカの症状が発生することがある。そのため、こ図１５に示すように、疑似バースト信号が存在するブロックの最初および最後に当たるｍ部およびｎ部において、疑似バースト信号の幅を徐々に変化させる。こうすることによって、テレビジョンモニタにおけるフリッカ症状を防ぐことができる。
【００４７】
この発明の一実施例では、上述した疑似バースト信号によるコピーの防止と共に、よりコピー防止を確実とするために、ＡＧＣパルス発生器２５によって生成されるＡＧＣパルスをＣＧＭＳに従って制御している。すなわち、コピー禁止の場合では、ビデオ信号におけるＡＧＣ基準レベル検出区間に、通常のＡＧＣ基準レベルより大きなレベルの疑似同期パルスを挿入するものである。これは例えば、図１６Ａに示されるように、ビデオ信号のＶブランキング期間の一部に疑似同期Ｃパルスが挿入される。図１６Ｂは、この疑似同期パルスが挿入された部分を拡大して示す。この疑似同期パルスは、水平同期パルスにレベルｐを加えたレベルで例えば５波挿入される。また、このレベルｐは、変化させられ挿入される。
【００４８】
アナログＶＣＲでは、図１６Ｃに示す、Ｖブランキング期間における１Ｈの水平同期パルスを利用してＡＧＣをかけるようにされた機種が多数存在する。そのため、このように、水平同期パルスよりも振幅の大きい疑似同期パルスが１Ｈに挿入されると、ＡＧＣ回路がこの疑似同期パルスの振幅を基準レベルと判断してＡＧＣがかけられる。その結果、ＡＧＣレベルがこの疑似同期パルスのレベルとして検出されるため、同期信号を振幅分離によって検出することができず、正常な再生が行えなくなる。このようなＡＧＣパルス方式を併用することによって、コピーガードをより一層確実に行うことができる。
【００４９】
なお、図３の実施例では、コピー防止用信号として２種類のものを用意し、その一つをユーザが選択しているが、３種類以上のコピー防止用信号を用意しても良い。具体的には、第１のコピー防止用信号ＳＢ２の変形例として挙げたものを第３のコピー防止用信号として使用しても良い。
【００５０】
また、図３の構成では、通常のバースト信号ＳＢ１、第１および第２のコピー防止用信号ＳＢ２、ＳＢ３の生成回路が別々のブロックとして示されているが、上述したように、カラー副搬送波の位相を制御することによって、コピー防止用信号を生成するので、これらの生成回路の一部のハードウエアを共用することが可能である。また、コピー防止用信号を付加するために加算器が使用されているが、通常のカラーバースト信号を付加し、その後で、所定の期間のみその位相を異ならせるような変調回路を使用しても良い。さらに、この発明は、コンポーネント信号の形式ではなく、輝度信号と搬送色信号とが重畳されたコンポジット信号の形式に対して、コピー防止用信号を付加しても良い。
【００５１】
【発明の効果】
以上説明したように、この発明によれば、バースト信号の位相を通常のものと異ならせるようなコピー防止用信号を付加することによってコピーを防止する場合に、テレビジョンモニタによりこのビデオ信号を見る場合では、画質の劣化が生じないようにできる。また、この発明では、プリレコーディッドテープ、ＤＶＤ等の記録媒体において、ディジタルビデオ信号と共に、コピーを制限するための情報を記録しているので、コピー防止を確実に行うことができる。
【図面の簡単な説明】
【図１】この発明を適用できるビデオ信号記録システムの幾つかの例を示すブロック図である。
【図２】ＤＶＤプレーヤの再生アナログ信号を記録する場合に対してこの発明を適用した一実施例のブロック図である。
【図３】この発明が適用された出力部のブロック図である。
【図４】ＣＧＭＳの一例およびコピー制限用信号の発生を指示するトリガービットの説明に用いる略線図である。
【図５】ディジタルＶＣＲにおいて採用されているＣＧＭＳの記録方法の一例の説明に用いる略線図である。
【図６】ディジタルＶＣＲにおいて採用されているＣＧＭＳの記録方法の一例の説明に用いる略線図である。
【図７】原信号と再生後の信号におけるカラーバースト信号をそれぞれ示す波形図である。
【図８】第１のコピー防止用信号の幾つかの例を示す波形図である。
【図９】再生後においてコピー防止用信号の幅が増えたことを示す波形図である。
【図１０】第１のコピー防止用信号を生成するためのいくつかの方法の説明のためのタイミングチャートである。
【図１１】第２のコピー防止用信号によるコピー防止を説明するための略線図である。
【図１２】第１のコピー防止用信号の付加の方法の第１の例を示す略線図である。
【図１３】第１のコピー防止用信号の付加の方法の第２の例を示す略線図である。
【図１４】第１のコピー防止用信号の付加の方法の第３の例を示す略線図である。
【図１５】第１のコピー防止用信号の付加の方法の第４の例を示す略線図である。
【図１６】ＡＧＣパルス方式を説明するための波形図である。
【符号の説明】
６・・・ＤＶＤ、１４・・・再生アナログビデオ信号を出力するための出力部、１５・・・マイクロコンピュータ、１６、１６Ｙ、１６Ｃ・・・出力端子、２４、２５、２７・・・加算器、３１・・・通常のバースト信号を発生する信号発生器、３２・・・第１のコピー防止用信号を発生する信号発生器、３３・・・第２のコピー防止用信号を発生する信号発生器、３５・・・マイクロコンピュータで制御されるスイッチャ、３６・・・ユーザの指示で制御されるスイッチャ、ＳＢ１・・・通常のカラーバースト信号、ＳＢ２・・・第１のコピー防止用信号、ＳＢ３・・・第２のコピー防止用信号、ｂ，ｃ・・・疑似バースト信号
【図１】
0003685182.tif 000002
【図２】
0003685182.tif 000003
【図３】
0003685182.tif 000004
【図４】
0003685182.tif 000005
【図５】
0003685182.tif 000006
【図６】
0003685182.tif 000007
【図７】
0003685182.tif 000008
【図８】
0003685182.tif 000009
【図９】
0003685182.tif 000010
【図１０】
0003685182.tif 000011
【図１１】
0003685182.tif 000012
【図１２】
0003685182.tif 000013
【図１３】
0003685182.tif 000014
【図１４】
0003685182.tif 000015
【図１５】
0003685182.tif 000016
【図１６】
0003685182.tif 000017